(57)【要約】      （修正有）【課題】複数のマルチメディアコンテンツと計測データコンテンツを同期させ融合させることにより、容易に比較検証が可能になり、そのために必要な資料を作成できるようにする。【解決手段】１又は複数のマルチメディアコンテンツが入力する第１入力手段と、１又は複数の計測データコンテンツが入力する第２入力手段を備え、注目基準点に合わせてマルチメディアコンテンツ又は計測データコンテンツのサンプリングレートを調整する機構、計測データコンテンツを映像化してマルチメディアコンテンツ化する機構とを備え、同期状態をソフトウエア演算処理し、前記処理により作成された複数のマルチメディアコンテンツを合成した複合マルチメディアコンテンツとして、デイスプレィ出力又はコンピュータ内部、或いは外部の記録媒体に出力するソフトウエアプログラムである。パーソナルコンピュータ、デジタル家電製品等に適用できる。【選択図】図１
2006174392.tif 000002
【特許請求の範囲】
【請求項１】
コンピュータに実行させるプログラムであって、
マルチメディアコンテンツや計測データコンテンツを複合したコンテンツ、または、複数のマルチメディアコンテンツ、または、複数の計測データコンテンツを取り扱うコンポーネントサービスと
前記マルチメディアコンテンツを読み込み、前記マルチメディアコンテンツを構成する各シーンのサンプリングレートを調整するコンポーネントサービスと、
前記マルチメディアコンテンツを読み込み、前記マルチメディアコンテンツを構成する各シーンの時間的な開始位置を調整するコンポーネントサービスと、
前記計測データコンテンツを読み込み、前記計測データコンテンツを構成する各サンプリングレートからサンプリングレートを調整するコンポーネントサービスと、
前記計測データコンテンツを読み込み、前記計測データコンテンツを構成する各サンプリングレートから時間的な位置を調整するコンポーネントサービスと、
前記マルチメディアコンテンツと前記計測データコンテンツを波形グラフや文字情報として映像化して、レンダリングするコンポーネントサービスと、
前記マルチメディアコンテンツを各種画像フィルタを施して、変換して再レンダリングするコンポーネントサービスと、
前記計測データコンテンツを各種信号フィルタ処理を施して、データ変換をするコンポーネントサービスと、
前記マルチメディアコンテンツと前記映像化された計測データコンテンツを１つの映像である複合マルチメディアコンテンツとしてレンダリングするコンポーネントサービスと、
前記の１つの映像化された複合マルチメディアコンテンツをディスプレイ上に自由に表示するコンポーネントサービスと、
前記の１つの映像化された複合マルチメディアコンテンツを記憶媒体上に保存するコンポーネントサービスと、
前記の１つの映像化された複合マルチメディアコンテンツを外部映像保存機器に保存するコンポーネントサービスと、
前記各コンポーネントのそれぞれが受けるために満たすべき仕様に従って、前記各コンポーネントのそれぞれに前記各サービスのそれぞれを提供するソフトウエアと、
前記ソフトウエア上で動作する複数の前記コンポーネントサービスを、カスタマイズして任意に組み合わせた前記コンポーネントサービス群が、複数個集合されたことを特徴とするプログラム。
【発明の詳細な説明】
【発明の詳細な説明】
【技術分野】
【０００１】本発明は、複数台にわたる映像装置、および、計測データ収集装置から収集したマルチメデイアデータや計測データを使用して、トータルな検証解析と、そのための資料を作成するためのソフトウエアに関するものである。
【背景技術】
【０００２】近年、正確な映像同期信号やトリガー信号を用いて１つの事象を複数の機器で計測することが一般的であり、計測機材に同期信号やトリガー信号を接続し、機材同士の同期を取り撮影や実験データ収集が行なわれている。【０００３】ところが、このような方法で取得された計測データコンテンツや記録されたマルチメディアコンテンツはフォーマットの違いや、データのサンプリングレートやサンプル時間が異なっているのに加えて、保存された映像データの表示レートはサンプルレートに関係なく一定であることが一般的である。そのために、それぞれのコンテンツを比較検証することや、そのための資料を作成することが困難であった。【０００４】このようなフォーマットの異なるコンテンツをそれぞれ適切に修正を施し、単一の複合マルチメディアコンテンツに統合することは、いくつかのソフトウェアを駆使して、作成することは可能であったが、多くの時間とテクニックが必要なために、現実的ではなかった。
【発明が解決しようとする課題】
【０００５】最近のコンピュータ技術の進歩で、同期のとれていないマルチメディアコンテンツと、可視化した計測データコンテンツの表示時間を合わせて、ソフトウエアのより後からの編集により同じ時間の事象を同期して表示することができるようになった。また、波形を可視化して映像と合成した複合マルチメディアコンテンツをコンピュータデータファイルやＤＶ等の記録媒体に出力したり、データを比較検証することや、そのための資料を作成する一連の流れを１つのソフトで簡単に製作することが課題である。
【０００６】そこで本発明は上記課題を解消し、複数台の映像撮影機材やデータ収集機材等で収集したマルチメディアコンテンツや計測データコンテンツを合成して容易に１つに統合された複合マルチメディアコンテンツを出力するソフトウエアを提供することを目的としている。
【課題を解決するための手段】
【０００７】本発明は前記目的を達成するため、映像を扱うマルチメディアコンテンツと計測データを扱うデータコンテンツの編集合成を行うシステムにおいて、前記各マルチメディアコンテンツと各計測データコンテンツの同期をとった状態で、コンピュータディスプレイ上に表示された映像により検証解析すると共に、複合マルチメディアコンテンツを他の一般的なアプリケーションソフトで閲覧が可能な形式のファイルを生成したり、一般的な外部機器に出力することを１つのアプリケーションソフトウエア処理によって実現することを特徴とする。
【発明を実施するための最良の形態】
【０００８】以下、添付図面に示す実施の形態に基づいて本発明を詳細に説明する。図１は、本実施の形態によるコンテンツデータ処理の流れを示すブロック図である。【０００９】本例のソフトウエアが動作するハードウエア環境はＭｉｃｒｏｓｏｆｔ（商標登録）Ｗｉｎｄｏｗｓ（商標登録）等のオペレーションシステムが動作するパソコン上で動作するアプリケーションソフトウエアである。【００１０】本例で取り扱うマルチメディアコンテンツは、ＤＶビデオカメラ等のデジタルカメラからＩＥＥＥ１３９４やＵＳＢ１やＵＳＢ２を介して得られる映像記録データや、それらをパソコンのハードディスクやＣＲ−ＲやＤＶＤ等の記録媒体に保存したＪＰＥＧ２０００、ＢＭＰ、ＴＩＦＦ等などの一連の静止画フォーマットや、ＭＰＥＧ２、ＭＰＥＧ４、ＡＶＩ、ＷＭＶなどの動画フォーマットなどである。【００１１】また本例で取り扱う計測データコンテンツは信号取得機器などから得られる計測データや、それを記憶媒体に保存したファイル、もしくはＣＳＶ，ＥＸＣＥＬ（商標登録）、テキスト形式で保存された数値データ郡などのである。【００１２】図１に示すように、本例で取り扱う入力コンテンツデータは、ひとつ、もしくは、複数の映像が主体のマルチメディアコンテンツ１，２と、ひとつ、もしくは、複数の計測データコンテンツ３，４である。【００１３】マルチメディアコンテンツと計測データコンテンツは、それぞれ、時間軸調整処理５，６と時間軸調整処理７，８で計測した事象の時間軸を一致した形で整頓される。時間軸の一致にはサンプルレートの変換や、データを時間軸で任意の量のオフセットをつける操作をする。【００１４】時間軸調整処理を終えたマルチメディアコンテンツは画像フィルタ処理９，１０により、画像に対して任意の演算処理が施される。この処理を行わないことも可能である。【００１５】時間軸調整処理を終えた計測データコンテンツは信号フィルタ処理１１，１２により、計測データに対して任意の演算処理が施される。この処理を行わないことも可能である。【００１６】信号フィルタによって変換された計測データコンテンツの場合は、さらに、データ可視化処理１３，１４で、時間軸に対するデータの一定期間の変化を示したグラフと、それを説明するマーカー、文字列、数字として可視化されマルチメディアコンテンツに変換する。【００１７】時間軸を一致させたマルチメディアコンテンツ１５，１６，１７，１８を出力画面に合わせて、合成処理１９で画像合成された複合マルチメディアコンテンツ２０に変換される。【００１８】生成された複合マルチメディアコンテンツ２０は動画映像としてコンピュータディスプレー２１に表示される。また、生成された複合マルチメディアコンテンツ２０は内蔵記録媒体２２のコンピュータなどのハードディスクやＣＤ−ＲやＤＶＤ−Ｒ等に保存もしくは出力される。さらに、生成された複合マルチメディアコンテンツ２０はコンピュータを介して外部のデータ記録媒体２３の民生機器のＤＶカメラ等に、ＩＥＥＥ１３９４インターフェース経由で出力することも可能である。ＤＶカメラ等の記録媒体に出力された映像は、ＤＶカメラ等からアナログ信号が出力され、テレビモニター等で見ることが可能である。
【発明の効果】
【００１９】以上詳述したように、本発明によれば、画像合成によるコンテンツを簡単に製作することができる。データ解析が容易になり、データ解析の効率化ができる。容易に映像による動画像のプレゼンテーションを行うことができ、プレゼンテーションが効果的にできるようになる。
【図面の簡単な説明】
【図１】本発明のコンテンツデータ処理の流れを示す図
【図１】
2006174392.tif 000003